(57)【要約】【解決手段】マルチワイヤケーブルと対応する回路基板コネクタとの間の接続を遮蔽する導電性ＥＭＩ遮蔽アセンブリが開示され、回路基板コネクタを包囲するための筐体部分と、筐体部分およびケーブルと嵌合するための結合部分とを含む。筐体部分は、長方形構成を有する基部と、結合部分の対応するカラー部分と嵌合するカラー部分とを有する。結合部分は、ケーブルの端の上を滑り、かつケーブルに付着する対向する端を有する。筐体カラー部分および結合嵌合部分は、関連付けられたタブおよびそれらの周囲に円形パターンで予め選択された角度離間で配列された開口部を含む。タブおよび開口部は、結合部分が筐体部分に対していくつかの異なるパターンで配向されることを可能にする。【選択図】図１
2016518002.tif 000002
【特許請求の範囲】
【請求項１】
コネクタおよびそれに終端されるケーブルに遮蔽を提供するための遮蔽アセンブリであって、
筐体部分であって、複数の側壁および対向する装着端および嵌合端を含み、前記側壁が回路基板に装着されるように構成されたコネクタ用の中空エンクロージャを協働的に画定する、筐体部分と、
結合部分であって、中空管状部材ならびに対向する装着端および嵌合端を含む、結合部分と、を備え、
前記結合部分および筐体部分の嵌合端が、前記結合部分が複数の予め選択された配向のうちの１つで前記筐体部分に嵌合されることを可能にする相互係合要素を含む、遮蔽アセンブリ。
【請求項２】
前記筐体部分が、該筐体部分の装着端に近接して４面構成を有し、前記筐体部分が、該筐体部分の嵌合端に近接して円形構成を有する、請求項１に記載の遮蔽アセンブリ。
【請求項３】
前記筐体部分が、２つの相互に係合する半体を含み、一方の半体が中に配置される係合タブを含み、他方の半体が中に前記係合タブを受容する係合開口部を含む、請求項２に記載の遮蔽アセンブリ。
【請求項４】
前記筐体部分が、前記中空エンクロージャ内に内向きに延在する少なくとも１つのコンタクトアームを含み、該コンタクトアームが、前記筐体部分がコネクタ周囲の回路基板に装着されたときに、前記中空エンクロージャ内に配置されるコネクタと接触するように構成される、請求項１に記載の遮蔽アセンブリ。
【請求項５】
前記筐体部分の側壁内に形成され、前記中空エンクロージャ内に延在する複数のコンタクトアームをさらに含む、請求項４に記載の遮蔽アセンブリ。
【請求項６】
前記筐体部分の嵌合端がカラーを含み、前記結合部分の嵌合端がプラグ端を含み、該プラグ端が前記カラーと係合する、請求項２に記載の遮蔽アセンブリ。
【請求項７】
前記結合部分の嵌合端のプラグ端が前記カラー内に収まる、請求項６に記載の遮蔽アセンブリ。
【請求項８】
前記相互係合要素が、前記筐体部分および結合部分の嵌合端のうちの一方の上に配置される複数の係合タブと、前記筐体部分および結合部分の嵌合端のうちの他方の中に配置される複数の係合開口部と、を含む、請求項１に記載の遮蔽アセンブリ。
【請求項９】
前記係合タブおよび係合開口部が、介在する角度離間によって分離される、前記筐体部分および結合部分の嵌合端の周囲に円形離間で配置される、請求項８に記載の遮蔽アセンブリ。
【請求項１０】
前記係合タブおよび係合開口部が約４５°離間する、請求項９に記載の遮蔽アセンブリ。
【請求項１１】
前記係合タブおよび係合開口部が約９０°離間する、請求項９に記載の遮蔽アセンブリ。
【請求項１２】
前記係合タブおよび係合開口部が約６０°離間する、請求項９に記載の遮蔽アセンブリ。
【請求項１３】
前記係合タブおよび係合開口部が一様に離間する、請求項９に記載の遮蔽アセンブリ。
【請求項１４】
前記結合部分の装着端が圧着バンドを含む、請求項６に記載の遮蔽アセンブリ。
【請求項１５】
回路基板上に装着されたコネクタおよび該コネクタに終端されたワイヤを含むケーブルに遮蔽を提供するための遮蔽アセンブリであって、
筐体部分であって、前記コネクタ用の中空エンクロージャを協働的に画定する複数の側壁と、前記筐体部分を前記回路基板に装着するための装着端と、対向する嵌合端とを含む、筐体部分と、
結合部分であって、中空管状部材と、前記結合部分を前記ケーブルに装着するための装着端と、対向する嵌合端と、を含む、結合部分と、を備え、
前記結合部分および筐体部分の嵌合端が、相互係合嵌合要素を含み、該相互係合嵌合要素が、前記筐体部分および結合部分の嵌合端のうちの一方の上に配置される複数の係合タブと、前記筐体部分および結合部分の嵌合端のうちの他方の上に配置される複数の係合開口部と、を含み、前記結合部分が複数の予め選択された配向のうちの１つで前記筐体部分に嵌合されるように、係合タブが前記係合開口部によって係合され得る、遮蔽アセンブリ。
【請求項１６】
前記筐体部分の側壁が、前記中空エンクロージャの中に延在して前記コネクタと接地接触する、中に形成される少なくとも１つのコンタクトアームを含む、請求項１５に記載の遮蔽アセンブリ。
【請求項１７】
前記筐体部分の装着端が、長方形断面を含み、
前記結合部分の嵌合端が、円形断面を含み、
前記筐体部分の嵌合端が、円形断面を含み、
前記筐体部分が、前記装着端と嵌合端との間に配置される移行部分を含む、請求項１５に記載の遮蔽アセンブリ。
【請求項１８】
１つの係合開口部が１つの係合タブと関連付けられるように、前記相互係合要素が対で配列され、該対の相互係合要素が円形パターンで配列され、介在する一様の離間によって分離される、請求項１５に記載の遮蔽アセンブリ。
【請求項１９】
前記一様の離間が約４５°である、請求項１８に記載の遮蔽アセンブリ。
【請求項２０】
前記一様の離間が約９０°である、請求項１８に記載の遮蔽アセンブリ。
【発明の詳細な説明】
【技術分野】
【０００１】
関連出願の参照
本開示は、２０１３年３月２７日に米国特許商標庁に出願された、「可変角度ＥＭＩ遮蔽アセンブリ（Ｖａｒｉａｂｌｅ  Ａｎｇｌｅ  ＥＭＩ  Ｓｈｉｅｌｄｉｎｇ  Ａｓｓｅｍｂｌｙ）」と題される、先行出願された米国仮特許出願第６１／８０５，５５８号に対する優先権を主張する。前述の特許出願の内容は、本明細書にその全体が完全に組み込まれる。
【背景技術】
【０００２】
本開示は概して、遮蔽アセンブリに関し、より具体的には、さまざまな角度配向で用いられ得る改善された遮蔽アセンブリに関する。
【０００３】
現在の電子用途において、遮蔽付きケーブルは、複数の組のワイヤを電子デバイスの中に至らせるために利用される。ワイヤは、コネクタ等に終端され、かつ典型的には、ＥＭＩを抑制する様式でコネクタとケーブルを導電的に相互接続する外部遮蔽が提供されなければならない。これらの遮蔽の多くがそれらの配向に固定され、これは１つの部品が第１の配向でコネクタを出るケーブルのために利用されなければならず、第２の部品が第２の配向でコネクタを出るケーブルのために用いられなければならず、第３の部品が第３の配向でコネクタを出るケーブルのために用いられなければならないといった具合であることを意味する。ケーブルの複数の出口態様を必要とする用途について、複数の部品が必要である。これは、電子デバイスの製造コストを増大させ、さらなる労働を加える。
【０００４】
したがって、本開示は、多角度、または可変の出口角度配向を有する遮蔽アセンブリを対象とし、これにより異なる部品の必要性を排除し、製造者にコスト削減を提供し、より短時間でのケーブル設置を促進する。
【発明の概要】
【課題を解決するための手段】
【０００５】
したがって、電子デバイスとともに使用するのに好適であり、回路基板に装着するために構成され、ケーブルに嵌合するようにさらに構成された遮蔽アセンブリであって、複数のはっきりと異なるケーブル出口路を収容するために、複数の異なる配向の能力を有する遮蔽アセンブリが提供される。
【０００６】
本開示に従って、多ピース遮蔽アセンブリが提供される。このアセンブリは、２つのはっきりと異なる部分を含む。一方は、好適にはワイヤ対基板型のコネクタを包囲するように構成された筐体部分である。この筐体部分は、コネクタを包囲する導電性遮蔽を提供する一方で、他方のはっきりと異なる部分は、ケーブルの終端領域を包囲し、固定された角度配向で筐体部分と嵌合する中空導電性部材を提供する結合部分である。
【０００７】
遮蔽アセンブリ筐体部分に対して複数の異なる角度の出口態様でケーブルを設置する能力を設置者に提供するため、結合部分には、結合部分の一部として、型抜きでまたは別様に形成される、好適にはタブの形をとる複数の隆起した部材が提供される。これらのタブは、結合部分からわずかに突出し、かつ１つ以上の硬い縁を含み得る。対応する開口部が筐体部分のカラー内に形成され、タブが開口部内で捕捉されるような様式でこれらの開口部がタブを受容する。タブおよび開口部は、筐体部分カラーおよび結合部分の両方の周囲に予め選択された角度配列で４５°等の増分で離間し、結合部分は筐体部分に対して簡単に回転し得、そこから４５°の増分で角度オフセットし得る。タブの間で選択される角度離間は、６０°、９０°等、異なり得る。したがって、設置者は、結合部分およびそれが包囲するケーブルをさまざまな配向で簡単に配向し得る。
【０００８】
本開示のこれらおよび他の目的、特徴、および利点は、以下の詳細な説明の検討を通じて明確に理解され得る。
【０００９】
本開示の構造および運用の編成および様式は、本開示のさらなる目的および利点とともに、添付の図面と併せて以下の詳細な説明を参照することにより最良に理解され得、類似の参照番号は類似の要素を識別する。
【図面の簡単な説明】
【００１０】
【図１】本開示に従って構成された遮蔽アセンブリの斜視図である。
【図１Ａ】筐体部分に対する結合部分の角度配向を図示した、図１の遮蔽アセンブリの角度配向の上から見た円形描画である。
【図２】図１の遮蔽アセンブリの分解図である。
【図３】筐体部分が４５°回転した、図１と同じ図である。
【図３Ａ】筐体部分に対する結合部分の角度配向を図示した、図３の遮蔽アセンブリの角度配向の上から見た円形描画である。
【図４】筐体部分が９０°回転した、図１と同じ図である。
【図４Ａ】筐体部分に対する結合部分の角度配向を図示した、図３の遮蔽アセンブリの角度配向の上から見た円形描画である。
【図５】図１の遮蔽アセンブリの筐体および結合部分の拡大図である。
【図５Ａ】係合要素の間の一様な６０°の角度離間を有する本開示の遮蔽アセンブリとともに用いるための角度配向の円形描画である。
【図６】図５の遮蔽アセンブリの分解図である。
【図７】図５の遮蔽アセンブリを通して切り取られた断面図である。
【図８】図７の遮蔽アセンブリの側面図である。
【発明を実施するための形態】
【００１１】
本開示は異なる形式の実施形態の影響を受けやすい場合があるが、本開示が本開示の原理の例示と見なされ、本開示を説明されるように制限することが意図されないという理解とともに、特定の実施形態が図面中に示され、本明細書において詳細に記載される。
【００１２】
したがって、特徴または態様への参照は、本開示の実施例の特徴または態様の説明を意図し、本開示のすべての実施形態が記載の特徴または態様を有さなければならないということを暗示しない。さらに、記載はいくつかの特徴を説明することに留意されたい。可能性のあるシステム設計を説明するためにある特定の特徴が組み合わされているが、これらの特徴は、明白に開示されない他の組み合わせにおいても用いられ得る。ゆえに、描写された組み合わせは、別様に記載されない限り、制限することを意図されない。
【００１３】
図面に示される実施形態において、上、下、左、右、前および後ろ等の方向の表現は、本開示の種々の要素の構造および動きを説明するために用いられ、絶対的なものでなく相対的なものである。これらの表現は、要素が図面に示される位置にあるときに適切である。しかしながら、要素の位置の記載が変更された場合、これらの表現は、それに応じて変更されることになる。
【００１４】
図１は、本開示に従って構築される、電子デバイスの中に用いられる遮蔽アセンブリ１０の斜視図である。遮蔽アセンブリ１０は、ケーブル１８のワイヤ１２を回路基板１３上の回路に接続するために回路基板１３上に装着されたコネクタ１４（影で示す）に接続される複数のワイヤ１２を含む、高速ケーブル１８用の導電性接地遮蔽を提供するように構成される。遮蔽アセンブリ１０は、ケーブルのための導電性エンクロージャと、そのケーブルへの接続を提供し、これが電子デバイスの動作中に電磁干渉（ＥＭＩ）が漏れることを防ぐ。この点について、遮蔽アセンブリは、回路基板１３の中に形成される対応する対向する装着穴４０内に受容されるコンプライアントピン３５ａとして、図１〜図４の実施形態に示す装着部材３５とともに提供される。遮蔽アセンブリ１０は、コネクタ１４およびその領域を包むか、または包囲するエンクロージャを提供し、そこでワイヤ１２の導体１３がコネクタの端子に終端される。このエンクロージャは、回路基板１３の上面から、ケーブル内部接地遮蔽１９が露出するケーブル上の場所に延在し、そして電子デバイス内のＥＭＩ漏れに対する密閉を提供する。
【００１５】
図２を参照して、遮蔽アセンブリ１０が２つの相補形状の相互係合構成要素１５、１６を含むことが分かる。１つは、コネクタ１４を包囲または収納するため、本明細書において筐体部分１５と称される。したがって、これは好適には、示されるように、中空長方形構成を４つの側壁と協働的に画定する２つの半体３１、３２から形成される。装着部材３５、すなわちコンプライアントピン３５ａまたは頑丈な突起３５ｂは、内部コネクタ１４周辺にあるパターンで配列される。これらのピン３５は、筐体部分１５の装着端に沿って形成され、これらは筐体部分半体３１、３２から外向き（かつ下向き）に延在する。組み立てられると、筐体部分１５が中空導電性エンクロージャを画定し、これは中心軸「Ａ」（図２）を有し、これは回路基板１３の接地回路に接続される。筐体部分１５は、中に配置されるコネクタ１４と電気接地接触するような様式で、内向きに曲がり、筐体半体３１、３２によって画定される中空エンクロージャの中に延在する、コンタクトアーム３７として示される１つ以上の接触部材をさらに含み得る。係合開口部３６は、筐体部分半体３１のうちの１つの上に形成され得、これらの開口部３６が滑り、筐体半部３２の他方の中に形成される、対応するタブ３５と係合する。
【００１６】
遮蔽アセンブリ１０をケーブル１８と接続するための手段を提供するため、筐体部分１５は、装着端３２の反対側に配置される嵌合端３３を含む。この嵌合端３３は、筐体部分１５の残りとは異なる構成を有する。図１〜図２において、筐体部分１５の嵌合端３３に完全な円形（３６０°）の範囲に延在するカラー部分３８を有する嵌合端３３が、円形、または中空構成を有することがわかる。この長方形構成から円形構成への移行が、本開示の遮蔽アセンブリに、異なる角度配向で結合部分１６と嵌合する能力を与える。
【００１７】
他方の遮蔽アセンブリ構成要素は、本明細書において結合部分１６と称され、少なくとも１つの方向の変更を含む中空管状要素として構成される。言い換えると、結合部分１６は、中心軸Ａに沿って筐体部分１５とともに整列される、１つの端である嵌合プラグ端４０を有する中空内部を有する。結合部分１６は、図示されるように従来の管の「エルボ」構成を与えるためのベンド１７を含む。他方の端であるケーブル装着端４１は、対向する結合部分１６の嵌合端４０からの角度に配向するだけでなく、自身の中心軸「Ｂ」（図２）を筐体部分１５の中心軸Ａから角度オフセットする。結合部分１６の嵌合プラグ端４０はまた、筐体部分１５の嵌合端３３と嵌合するために円形に構成される。この円形構成が、結合部分１６の筐体部分１５上の選択的な配向を可能にする。
【００１８】
ケーブル１８は、さまざまな方向から電子デバイスに正常に進入し得る。ゆえに、コネクタ１４および関連付けられた筐体部分１５が回路基板１３の特定の位置に装着されなくてもよいように、コネクタ１４とケーブル１８との間の嵌合接点を、複数の異なる角度配向のケーブル１８を収容し得る遮蔽アセンブリで包囲する能力を有することは、デバイスの組立工にとって有益である。むしろ、いかなる位置でも十分であり、これにより設計者により大きい自由を与える。これを達成するために、本開示の遮蔽アセンブリは、両方の構成要素１５、１６上に、複数の配向に互いに係合するように配列される複数の係合部材を有する。結合部分１６は、自身の嵌合プラグ端４０の上に、Ｕ形スロット３６をその側壁を通して圧迫することによって形成される、タブ２５として図示される複数の外向きに延在する係合部材を有する。筐体部分カラー部分３８は、自身の開口部３９を上に予め選択されたパターンに配列し、図面において、開口部は４５度の離間で配列される。図１〜図４には筐体部分嵌合端カラー３８内に収まる嵌合プラグ端４０として図示されるが、カラーは、同様に構成された筐体部分嵌合端カラーに被さるように、結合部分嵌合端上に形成され得るということが理解されよう。
【００１９】
このように、結合部分１６は、図１の結合部分エルボ上に重ねられた区画周囲の筐体部分１５に対して８つの異なる位置で配向され得る（上から見た場合）。図１および図３〜図４の円形描画は、遮蔽アセンブリの筐体部分１５に対する結合部分１６の配向を図示する。これらの図および円形描画の太線Ｃ−Ｃは、閲覧者への基準点の役割をする。線Ｃ−Ｃは、筐体部分１５の２つの側壁を交差する線である。図１において、結合部分１６は横方向に、または線Ｃ−Ｃに対して９０度の角度で延在する（円形描画に破線で示す）。図３において、結合部分１６は線Ｃ−Ｃから４５度の角度で配向し、一方図４において、結合部分１６は線Ｃ−Ｃと整列するか、または筐体部分の側壁に沿う。
【００２０】
結合部分タブ２５は、結合部分１６が筐体部分カラー１８の中に簡単に挿入され得るように、下向きの方向を有する角度で結合部分から押し出される。タブ２５がある１つの角度で突出するにつれて、タブは硬い縁を頂部および側部２５ａ、２５ｂで画定し、側部の硬い縁が、結合が筐体部分１５に対して回転することを防ぎ、そして好適には、いったん２つの部分が嵌合すると、これらは離れない。図６に示すように、結合部分１６の装着端４１は、ケーブル１８の外部に圧着され得る圧着バンド２４とともに提供され得るか、またはケーブルへの溶接またははんだ付けに適するように、結合部分１６ａのケーブル装着端が硬く作製され得る。
【００２１】
ゆえに、本開示の遮蔽アセンブリ１０は、設置のために特別な工具も、それぞれの特定の方向のための部品の在庫も必要とせずに、ケーブルが電子デバイスに進入する複数の方向に適合するように、設置者が筐体と結合部分１５、１６を簡単に嵌合することを可能にする。離間の隔たりが一様な４５°の離間に示されたが、図５Ａに示されるように、０°、６０°、１２０°、１８０°、２４０°、３００°、および３６０°等の代替の離間または一様でない離間の隔たりさえも選択され得る。一方の筐体部分半体３２ｂは、図６に示されるように、装着ピンではなく、硬い装着突起を含み得る。
【００２２】
本開示の好適な実施形態が示されかつ説明されたが、上述の記載および添付の請求項の趣旨および範囲を逸脱することなく、当業者が種々の修正を考案し得ることが想定される。
【図１】
2016518002.tif 000003
【図１Ａ】
2016518002.tif 000004
【図２】
2016518002.tif 000005
【図３】
2016518002.tif 000006
【図４】
2016518002.tif 000007
【図５】
2016518002.tif 000008
【図５Ａ】
2016518002.tif 000009
【図６】
2016518002.tif 000010
【図７】
2016518002.tif 000011
【図８】
2016518002.tif 000012
【国際調査報告】
2016518002.tif 000013
2016518002.tif 000014